(57)【特許請求の範囲】
【請求項１】
植物を育成するための植物育成用補助具において、
複数の棒材が結合または組み合わされて構成され、植物育成用の培地で覆われた時に植物の根が巻き付くことのできる骨組み部材と、
その骨組み部材を設置場所に固定するため、その骨組み部材から突設された固定部材とを備えていることを特徴とする植物育成用補助具。
【請求項２】
前記骨組み部材に充填された培地がその骨組み部材からこぼれ出るのを防止するために、その骨組み部材の少なくとも一部を覆う覆設部材を備えていることを特徴とする請求項１記載の植物育成用補助具。
【請求項３】
前記覆設部材は、植物の細根が巻き付くことのできる網目を備えた網材により構成され、その網材は、植物の主根が突き抜けてもその主根の成長を阻害しない伸縮性を備えていることを特徴とする請求項２記載の植物育成用補助具。
【請求項４】
前記覆設部材は、前記骨組み部材に充填された培地の出し入れのために、その骨組み部材に対して脱着可能に形成されていることを特徴とする請求項２または３に記載の植物育成用補助具。
【請求項５】
植物を育成するための植物育成方法において、
植物の根を巻き付かせるための骨組み部材を形成するために複数の棒材を結合または組み合わせて設置する棒材設置工程と、
前記棒材設置工程の一部であって、前記骨組み部材から突設された固定部材を介して前記骨組み部材を設置場所に固定する固定工程と、
その棒材設置工程により設置された複数の棒材間に植物育成用の培地を充填する培地充填工程と、
その培地充填工程により充填された培地の内部に植物を植え込む植え込み工程とを備えていることを特徴とする植物育成方法。
【請求項６】
前記培地充填工程により充填された培地が前記複数の棒材間からこぼれ出ることを防止するため、前記棒材設置工程で設置された複数の棒材に覆設部材を掛け渡して前記培地を覆う覆設工程を備えていることを特徴とする請求項５記載の植物育成方法。
【発明の詳細な説明】
【０００１】
【発明の属する技術分野】
本発明は、用土等を多量に設けることが困難な建物の屋上等で、植物を倒壊させることなく育成することができる植物育成用補助具および植物育成方法に関するものである。
【０００２】
【従来の技術】
近年、屋内外において、植物の育成が盛んである。植物を育成することによる恩恵は多大であり、美観が向上するとともに、リラックスできる環境を我々に提供してくれる。そのため街の緑地化が盛んにいわれており、公園内、道路沿い等の屋外において樹木等が多く育成されている。
【０００３】
【発明が解決しようとする課題】
しかしながら、デパート等の建物の屋上や橋の上等で樹木等の大きい植物を育成する場合には、植物を育成するための用土等を多く盛ることができないので、植えられた植物が十分に根を張ることができず、風に吹かれたり雨にうたれたりすると、その植物が容易に倒壊してしまうという問題点があった。
【０００４】
本発明は上記した問題点を解決するためになされたものであり、用土等を多量に設けることができない建物の屋上等においても、植物を倒壊させることなく育成することができる植物育成用補助具および植物育成方法を提供することを目的としている。
【０００５】
【課題を解決するための手段】
この目的を達成するために請求項１記載の植物育成用補助具は、植物を育成するためのものであり、複数の棒材が結合または組み合わされて構成され、植物育成用の培地で覆われた時に植物の根が巻き付くことのできる骨組み部材と、その骨組み部材を設置場所に固定するため、その骨組み部材から突設された固定部材とを備えている。
【０００６】
この請求項１記載の植物育成用補助具によれば、複数の棒材が結合または組み合わされて構成された骨組み部材は、その骨組み部材に突設された固定部材によって設置場所へ固定される。固定された骨組み部材は、植物育成用の培地で覆われ、その培地には植物が植え込まれる。植え込まれた植物が成長するにつれて、植物の根は骨組み部材に幾重にも巻き付き、その骨組み部材に固定される。
【０００７】
請求項２記載の植物育成用補助具は、請求項１記載の植物育成用補助具において、前記骨組み部材に充填された用土等がその骨組み部材内からこぼれ出るのを防止するために、その骨組み部材の少なくとも一部を覆う覆設部材を備えている。
【０００８】
請求項３記載の植物育成用補助具は、請求項２記載の植物育成用補助具において、前記覆設部材は、植物の細根が巻き付くことのできる網目を備えた網材により構成され、その網材は、植物の主根が突き抜けてもその主根の成長を阻害しない伸縮性を備えている。
【０００９】
請求項４記載の植物育成用補助具は、請求項２または３に記載の植物育成用補助具において、前記覆設部材は、前記骨組み部材内に充填された用土等の出し入れのために、その骨組み部材に対して脱着可能に形成されている。
【００１０】
請求項５記載の植物育成方法は、植物を育成するための植物育成方法であり、植物の根を巻き付かせるための骨組み部材を形成するために複数の棒材を結合または組み合わせて設置する棒材設置工程と、前記棒材設置工程の一部であって、前記骨組み部材から突設された固定部材を介して前記骨組み部材を設置場所に固定する固定工程と、その棒材設置工程により設置された複数の棒材間に植物育成用の培地を充填する培地充填工程と、その培地充填工程により充填された培地の内部に植物を植え込む植え込み工程とを備えている。
【００１１】
請求項６記載の植物育成方法は、請求項５記載の植物育成方法において、前記培地充填工程により充填された培地が前記複数の棒材間からこぼれ出ることを防止するため、前記棒材設置工程で設置された複数の棒材に覆設部材を掛け渡して前記培地を覆う覆設工程を備えている。
【００１２】
【発明の実施の形態】
以下、本発明の好ましい実施例について、添付図面を参照して説明する。図１は、本発明の一実施例である植物育成用補助具１の斜視図である。植物育成用補助具１は、植物２を所望の設置場所１２に植え込むためのものであり、この植物育成用補助具１を用いることにより、例えば、植物育成用の用土１６を十分に盛ることのできない建物の屋上等であっても、少量の用土１６で植物２を固定（設置）して育成することができるのである。
【００１３】
植物育成用補助具１は、主に、鋼材や耐腐食性を有するステンレス鋼材で形成されたアングル４から構成されている。アングル４は、複数本（例えば４本）の棒材５が結合または組み合わさって構成され、略半球体状に形成されている。アングル４を構成する各棒材５は、それぞれ略半円状に形成されており、頂点６を中心に互いに等角度となるように放射状に結合されている。また、アングル４の内部には、互いに向かい合った棒材５，５同士に、それぞれ渡り棒１０が架設されている。本実施例では渡り棒１０は４本設けられており、各渡り棒１０は互いに非接触に配設されている。このアングル４を構成する各棒材５及び渡り棒１０に、植え込まれ成長した植物２の主根３ａが巻き付くことにより、その植物２がアングル４（植物育成用補助具１）に固定されるのである。
【００１４】
各棒材５の先端部近傍（少なくとも最下端の渡り棒１０以下の位置）には、Ｌ字形の金具９がアングル４の外側へ突設されている。各金具９の先端は下方へ向けて配設されており、後述するネット１１をその金具９に引っ掛けて、そのネット１１でアングル４を覆うことができるようにされている。また、各棒材５のうち金具９の突設位置より先端は、アングル４を所定の設置場所１２に固定（設置）するための取着部７とされており、各取着部７には、反対側まで貫通した通孔８がそれぞれ穿設されている。この通孔８には、アングル４を設置場所１２に固定するために、コネクタ管１４の固定孔１４ｃとともに、ボルト１５が挿入されるのである。
【００１５】
アングル４の外側は、略半球体状に形成された伸縮性を有するネット１１により覆設されている。このネット１１は、その外周１１ｂがアングル４に突設された各金具９に引っ掛けられて、アングル４に取着されている。ネット１１は弾性及び適度の強度を持つゴム等によって構成されるとともに、複数の網目１１ａを備えている。よって、この網目１１ａに成長した植物２の細根３ｂが巻き付くことにより、植物２が植物育成用補助具１に一層強固に固定されるのである。なお、植えられた植物２の主根３ａがネット１１の網目１１ａを突き抜けて、その網目１１ａより大きく成長しても、ネット１１は伸縮性を備えているので、その主根３ａの成長を阻害してしまうことはない。
【００１６】
上記のように構成された植物育成用補助具１の設置場所１２には、各取着部７の位置に対応して、それぞれ設置孔１３が穿設されている。各設置孔１３は円柱状の空洞として形成され、その上端部１３ａの内径は、他の部分の内径より大径に形成されている。この設置孔１３内には、中空の円筒状に形成されたコネクタ管１４が上下方向に摺動自在かつ回転自在に緩挿されている。即ち、コネクタ管１４の外径は設置孔１３の内径より小径に形成されている。
【００１７】
このコネクタ管１４の上端部１４ａは、設置孔１３の上端部１３ａの内径より小径で、かつ、設置孔１３の内径より大径のドーナツ形に形成されている。よって、このコネクタ管１４の上端部１４ａがストッパーとなって、コネクタ管１４の設置孔１３内への没入を防止している。また、コネクタ管１４の上端部１４ａの厚さは、設置孔１３の上端部１３ａの深さと等しいか或いは小さく形成されている。よって、コネクタ管１４が設置孔１３内へ緩挿された状態では、そのコネクタ管１４の上端が設置場所１２の上面と面一あるいはその上面より下側に位置されるので、コネクタ管１４が設置場所１２から突出してしまうことがない。従って、植物育成用補助具１が配設される前の設置場所１２を、突起物のない安全な状態に保つことができるのである。なお、図１では、コネクタ管１４の構成を説明するために、１本のコネクタ管１４のみを突出させて図示している。
【００１８】
コネクタ管１４の内径は、植物育成用補助具１の取着部７が挿入できるように、その取着部７の外径より小径に形成されている。また、コネクタ管１４には、取着部７の通孔８と同様に、反対側まで貫通した固定孔１４ｃがそれぞれ穿設されている。前記したように、取着部７をコネクタ管１４内へ挿入した後、取着部７の通孔８とコネクタ管１４の固定孔１４ｃとを一致させ、両孔８，１４ｃ内へボルト１５等を挿入することにより、植物育成用補助具１をコネクタ管１４に連結して固定するのである。なお、コネクタ管１４は、設置孔１３内へ抜き出し不可能に緩挿されている。よって、植物育成用補助具１をコネクタ管１４に固定することにより、植物育成用補助具１をその設置場所１２に固定することができるのである。
【００１９】
次に、図２及び図３を参照して、上記のように構成された植物育成用補助具１の設置（施工）方法について説明する。なお、図２は、植物育成用補助具１の設置方法を示した図であり、図３は、その設置後の状態を示した図である。
【００２０】
まず、設置孔１３に埋設されているコネクタ管１４を上方向へ摺動させて持ち上げ、そのコネクタ管１４内へ、アングル４の取着部７を図１の矢印Ａ方向に挿入する。挿入後、コネクタ管１４を回転させて、そのコネクタ管１４の固定孔１４ｃと取着部７の通孔８とを一致させ、両孔１４ｃ，８内へボルト１５（又はピン等）を挿入し、アングル４をコネクタ管１４に連結し固定する。全ての取着部７とコネクタ管１４との連結後、アングル４とともにコネクタ管１４を下方向へ摺動させて戻すと、設置場所１２へのアングル４の固定が完了する。
【００２１】
アングル４の固定後は、その固定されたアングル４内部に植物２を育成するための用土１６を充填する。そして、アングル４の上方からネット１１を被せて、その充填された用土１６とともにアングル４を覆設する。覆設の際、ネット１１の外周１１ｂをアングル４の金具９に引っ掛けて、ネット１１をアングル４に固定するのである。以上の工程により、図３に示すように、植物育成用補助具１の設置が完了する。
【００２２】
次に、図４を参照して、植物育成用補助具１の使用方法について説明する。図４は、植物育成用補助具１の使用状態を示した斜視図である。
【００２３】
上記のように植物育成用補助具１を設置した後、アングル４に覆設されているネット１１の網目１１ａを広げて、アングル４の内部に植物２を植え込む。植えられた植物２は成長するにつれ、その根３も伸び、やがてその根３（主根３ａ）が渡り棒１０や棒材５に巻き付いていく。渡り棒１０はそれぞれ非接触に配設されているので、伸びた根３は複数本の渡り棒１０や棒材５に幾重にも巻き付き、その結果、植物２が植物育成用補助具１に強固に固定されるのである。なお、植物２の主根３ａがネット１１の網目１１ａを突き抜けて、その網目１１ａの大きさより太く成長しても、ネット１１は伸縮性を備えているので、網目１１ａの大きさも主根３ａの成長に合わせて広げられる。よって、ネット１１により主根３ａの成長が阻害されることはない。また、植物２の成長につれ、細根３ｂも伸び、やがて、ネットの網目１１ａに巻き付いていく。このように、ネット１１の網目１１ａに植物２の細根３ｂが巻き付くことにより、植物２が植物育成用補助具１に一層強固に固定されるのである。
【００２４】
上述の通り、植物育成用補助具１は設置場所１２に固定されており、成長した植物２は、その植物育成用補助具１に巻き付いて固定される。よって、この植物育成用補助具１を用いることにより、用土１６を多量に設けることが困難な建物の屋上等においても、植物２を風雨等で倒壊させることなく育成することができるのである。これにより、例えば、デパート等の建物の屋上等に少量の用土１６で、いわゆる「屋上庭園」を実現することができる。
【００２５】
また、アングル４は充填された用土１６とともに、ネット１１により覆われているので、用土１６がアングル４内からこぼれ出てしまったり、或いは、風によって飛散してしまうことを防止（抑制）することができる。よって、充填された用土１６を保って植物２を育成することができるので、充填する用土１６の量を、その植物２の成長に必要な最低限の量にすることができる。
【００２６】
次に、図５から図８を参照して、上記した第１実施例の変形例について説明する。図５は、第２実施例の植物育成用補助具２０の斜視図である。第２実施例の植物育成用補助具２０は、第１実施例の植物育成用補助具１の頂点６の部分に、円形の開口を設けたものである。以下、第１実施例と同一の部分には同一の符号を付してその説明を省略し、異なる部分のみ説明する。
【００２７】
植物育成用補助具２０のアングル２４の頂部には、円形の開口２６ａを有するドーナツ形のリング２６が配設されており、複数本（例えば８本）の各棒材５は、そのリング２６の外周にそれぞれ等間隔に放射状に結合されている。また、このアングル２４を覆うネット２１の中央にも、リング２６の開口２６ａに対応して略八角形の開口２１ａが形成されている。このように植物育成用補助具２０では、その上方に開口２６ａ，２１ａが形成されているので、その両開口２６ａ，２１ａから植物２を植え込んだり、或いは、用土１６を充填し補充することができるのである。よって、この植物育成用補助具２０では、設置工程において、ネット２１の覆設後に用土１６の充填を行うこともできるのである。
【００２８】
図６は、第３実施例の植物育成用補助具３０の側面図である。第３実施例の植物育成用補助具３０は、第１実施例の植物育成用補助具１に対して、ネットを部分的に取り外し可能に構成したものである。以下、第１実施例と同一の部分には同一の符号を付してその説明を省略し、異なる部分のみ説明する。
【００２９】
植物育成用補助具３０のアングル３４の各棒材３５には、環状に形成された複数の金具３９が外側へ向けて突設されている。また、ネット３１は略三角形状の複数枚に分割されて構成され、その各ネット３１の両側には、かぎ状に形成された複数のフック３１ｃが、アングル３４の各金具３９に対応して、それぞれ取着されている。ネット３１の覆設作業は、このフック３１ｃをアングル３４の金具３９に引っ掛けることにより行われる。
【００３０】
このように植物育成用補助具３０では、複数枚の各ネット３１が、アングル３４からそれぞれ独立して脱着可能に形成されている。よって、設置工程において、ネット３１の覆設後に、その一部を取り外して用土１６の充填を行ったり、或いは、植物２の植え込み後に、ネット３１の一部を取り外して充填されている用土１６の交換や補充等を行うことができる。特に、植物２の育成期間が長期化するにつれ、植物育成用補助具３０内に充填されている用土１６の交換も必要となってくるが、このようにネット３１を部分的に脱着可能に構成することにより、かかる用土１６の交換作業を容易に行うことができるのである。
【００３１】
図７は、第４実施例の植物育成用補助具４０の斜視図である。第４実施例の植物育成用補助具４０は、第１実施例の植物育成用補助具１に対して、アングルを一体に形成するのではなく、複数本の独立した棒材を組み合わせて構成したものである。以下、第１実施例と同一の部分には同一の符号を付してその説明を省略し、異なる部分のみ説明する。
【００３２】
植物育成用補助具４０のアングル４４は、コ字形の複数本（例えば６本）の棒材４５が組み合わされて構成されている。各棒材４５は２本ずつ同じサイズに形成されており、合計で３種類のサイズを備えている。このうち同サイズに形成された棒材４５同士が組みになって、小さいサイズの棒材４５から順に、２本ずつ平行に設置場所１２に設置されており、サイズの異なる棒材４５は順に直交するように設置されている。なお、当然のことながら、各棒材４５の本数やサイズの種類、形状、組み合わせの仕方などは、植物育成用補助具４０の設置場所１２や使用状態に合わせて、適宜変更されるものである。
【００３３】
これら複数本の棒材４５が組み合わされて構成されるアングル４４を覆設するネット４１は、第１実施例のネット１１と異なり、平板状に形成されている。この平板状に形成されたネット４１の外周１１ｂを各棒材４５の金具９に引っ掛けることにより、そのネット４１がアングル４４に覆設されるのである。この植物育成用補助具４０に示すように、アングル４４は、必ずしも一体に構成しなくとも、複数本の独立した棒材４５を組み合わせて構成することもできるのである。
【００３４】
図８は、第５実施例の植物育成用補助具５０の斜視図である。第５実施例の植物育成用補助具５０は、第１実施例の植物育成用補助具１に対して、ネット１１を用いずに、代わりにアングル４の周囲を囲い壁５１により囲ったものである。以下、第１実施例と同一の部分には同一の符号を付してその説明を省略し、異なる部分のみ説明する。
【００３５】
植物育成用補助具５０のアングル４の周囲は、コンクリート製の囲い壁５１により周設されている。囲い壁５１の高さはアングル４の頂点６以上の高さに形成されており、用土１６を囲い壁５１内に一杯に充填した場合、その用土１６によりアングル４が埋没されるように構成されている。また、この囲い壁５１は、その内部に断熱材を備えており、囲い壁５１内の保温効果を有して、植物２の育成に適した環境を作り出している。
【００３６】
この植物育成用補助具５０では、植物２の育成用の用土１６は、アングル４内のみならず、アングル４外にも溢れ出るように、囲い壁５１内一杯に充填される。しかし、その充填された用土１６がこぼれ出たり、飛散してしまうことは、囲い壁５１により防止（抑制）されるのである。この第５実施例のように、用土１６とともにアングル４を覆設するネットに代えて、囲い壁５１を設けるよにしても良いのである。なお、当然のことながら、ネットでアング４を覆設しつつ、更に、囲い壁５１を設けるようにしても良い。また、囲い壁５１に代えて、アングル４の設置場所１２自体を凹設するようにしても良い。
【００３７】
以上、実施例に基づき本発明を説明したが、本発明は上記実施例に何ら限定されるものではなく、本発明の趣旨を逸脱しない範囲内で種々の改良変形が可能であることは容易に推察できるものである。
【００３８】
例えば、上記第１から第４実施例では、ネット１１，２１，３１，４１は、いずれも一重に覆設された。しかし、これを二重又は三重以上に覆設するようにしても良い。ネットを多重に覆設することにより、網目１１ａを細かくできるとともにネット同士に間隙ができるので、植物２の細根３ｂが一層巻き付き易くなって、植物２が一層強固に固定されるのである。また、充填された用土１６も、ネットを多重に覆設することにより、より一層、こぼれ出たり飛散したりしにくくなるのである。更に、ネット１１，２１，３１，４１は、いずれもアングル４，２４，３４，４４の外側から覆設（張設）されたが、アングルの内側に張設したり、或いは、アングルの内側と外側との両側に張設するようにしても良い。
【００３９】
植物育成用補助具１，２０，３０，４０，５０に使用される用土１６としては、農業用に使用される培地のほか、軽量土、綿、ロックウール等を用いることができる。特に、用土１６として軽量土を用いれば、その重量を軽減することができるので、建物の屋上等に植物育成用補助具を設置する場合にも、その建物の重量負担を軽減することができるのである。
【００４０】
また、アングル４，２４，３４，４４の形状としては、用土１６を内包できる立体形状であれば良く、必ずしも半球状体に形成する必要はない。即ち、アングルの形状（外形）は、多面体状や、略円柱状、略円錐台状のように形成することもできるのである。
【００４１】
更に、塩分の多い埋め立て地などでは、塩害遮断用のシートを埋設して、その上方に植物育成用補助具１，２０，３０，４０，５０を用いれば、単に、埋め立て地の用土のうちの少量を入れ替えるだけで、植物２を健全に育成することができるのである。
【００４２】
【発明の効果】
請求項１記載の植物育成用補助具によれば、骨組み部材を覆う培地に植物を植えると、植えられた植物が成長するにつれて、植物の根は骨組み部材に幾重にも巻き付き、骨組み部材に固定される。この骨組み部材は、固定部材によって設置場所に固定されているので、培地を多量に設けることが困難な建物の屋上等においても、植物を倒壊させることなく育成することができるという効果がある。
【００４３】
請求項２記載の植物育成用補助具によれば、請求項１記載の植物育成用補助具の奏する効果に加え、骨組み部材の少なくとも一部は覆設部材によって覆われているので、骨組み部材に充填された培地がその骨組み部材内からこぼれ出てしまったり、或いは、風によって飛散してしまうことを防止することができるという効果がある。よって、培地を保って植物を育成することができるという効果がある。
【００４４】
請求項３記載の植物育成用補助具によれば、請求項２記載の植物育成用補助具の奏する効果に加え、覆設部材は網目を備えた網材により構成されているので、その網目に植物の細根が巻き付くことにより、植物を一層強固に固定することができるという効果がある。また、かかる網材は伸縮性を有しているので、その網材の網目を植物の主根が突き抜けても、植物の主根の成長が阻害されることがないという効果がある。
【００４５】
請求項４記載の植物育成用補助具によれば、請求項２または３に記載の植物育成用補助具の奏する効果に加え、覆設部材は骨組み部材に対して脱着可能に形成されているので、覆設部材を脱することにより、骨組み部材内の培地を自在に出し入れすることができる。即ち、培地の入れ替えを行うことができるという効果がある。
【００４６】
請求項５記載の植物育成方法によれば、植えられた植物が成長するにつれて、植物の根は骨組み部材（複数の棒材）に幾重にも巻き付いて、骨組み部材に固定される。この骨組み部材は棒材設置工程の一部である固定工程により設置され固定されているので、培地を多量に設けることが困難な建物の屋上等においても、植物を倒壊させることなく育成することができるという効果がある。
【００４７】
請求項６記載の植物育成方法によれば、請求項５記載の植物育成方法の奏する効果に加え、培地充填工程により充填された培地は、覆設工程によって掛け渡された覆設部材により覆われているので、その培地が骨組み部材内（複数の棒材間）からこぼれ出てしまったり、或いは、風によって飛散してしまうことを防止することができるという効果がある。よって、充填された培地を保って植物を育成することができるという効果がある。
【図面の簡単な説明】
【図１】  本発明の一実施例である植物育成用補助具の斜視図である。
【図２】  植物育成用補助具の設置方法を示した図である。
【図３】  植物育成用補助具の設置後の状態を示した図である。
【図４】  植物育成用補助具の使用状態を示した斜視図である。
【図５】  第２実施例の植物育成用補助具の斜視図である。
【図６】  第３実施例の植物育成用補助具の側面図である。
【図７】  第４実施例の植物育成用補助具の斜視図である。
【図８】  第５実施例の植物育成用補助具の斜視図である。
【符号の説明】
１，２０，３０，４０，５０  植物育成用補助具
２                          植物
３                          植物の根
３ａ                        主根
３ｂ                        細根
４，２４，３４，４４        アングル（骨組み部材）
５，３５，４５              棒材
７                          取着部（固定部材）
１１，２１，３１，４１      ネット（覆設部材、網材）
１１ａ                      網目
１２                        設置場所
１６                        用土
【図１】
0003749007.tif 000002
【図２】
0003749007.tif 000003
【図３】
0003749007.tif 000004
【図４】
0003749007.tif 000005
【図５】
0003749007.tif 000006
【図６】
0003749007.tif 000007
【図７】
0003749007.tif 000008
【図８】
0003749007.tif 000009